(57)【要約】【課題】正規な鍵板を用いた不正操作を防止することを可能にした遊技機の設定変更キー用不正操作防止具を提供すること。【解決手段】遊技機における電源ボックス１１に装着された設定変更キー１２の不正操作を防止するための遊技機の設定変更キー用不正操作防止具１であって、設定変更キーの露出面を覆い隠すケース３と、ケース３内に回動自在に係止された、厚み方向に貫通した鍵孔６を有するローター５と、を具備した防止具本体２と、前記鍵孔６内に挿入することで前記ローター５を回動する鍵板７と、で構成され、前記鍵板７は、鍵孔への挿入部分を、前記ローター５における鍵孔６の奥行き寸法分だけ前記設定変更キー１２における正規の鍵板よりも長く設定したことを特徴とし、これにより、設定変更キー１２の正規の鍵板を用いても設定変更キーを操作できないようにした。【選択図】図１１
0003125856.tif 000002
【実用新案登録請求の範囲】
【請求項１】
遊技機における設定変更キーの不正操作を防止するための遊技機の設定変更キー用不正操作防止具であって、
前記設定変更キー（１２）の露出面を覆い隠すケース（３）と、該ケース（３）内に回動自在に係止された、厚み方向に貫通した鍵孔（６）を有するローター（５）と、を具備した防止具本体（２）と、
前記鍵孔（６）内に挿入することで前記ローター（５）を回動する鍵板（７）と、で構成され、
前記鍵板（７）は、鍵孔への挿入部分を、前記ローター（５）における鍵孔（６）の奥行き寸法分だけ前記設定変更キー（１２）に用いる正規の鍵板よりも長く設定したことを特徴とする遊技機の設定変更キー用不正操作防止具。
【請求項２】
前記ローター（５）における外周側に挿入孔（５０４）を形成し、該挿入孔（５０４）内にスプリング（９）を介して球体（１０）を挿装するとともに、前記ケース（３）の内周側に前記球体（１０）が係止可能な凹部（４０４）を形成したことを特徴とする請求項１に記載の遊技機の設定変更キー用不正操作防止具。
【考案の詳細な説明】
【技術分野】
【０００１】
本考案は、遊技機の設定変更キー用不正操作防止具に係り、より詳しくは、正規の鍵板を用いた場合でも操作を不可能にすることで、正規の鍵板を用いた設定変更キーの不正操作を防止可能にした遊技機の設定変更キー用不正操作防止具に関する。
【背景技術】
【０００２】
周知のように、パチスロ機、パチンコ機等の遊技機においては、遊技機本体内のコンピューターにおける設定を変えることにより大当たりの確率を変更することが可能であるが、この設定を変更する際には、通常、設定変更キーを操作する必要がある。
【０００３】
即ち、前記設定変更キーとしては、通常、シリンダー錠が用いられており、このシリンダー錠は電源ボックス等に装着されている。そして、設定変更を行う場合には、この設定変更キーとしてのシリンダー錠に鍵板を差し込み、この差し込んだ鍵板を回して遊技機を設定モードにした後に行う。
【０００４】
この設定変更の操作は機種により異なり一様ではないが、例えば一例を挙げれば、まず、機械の電源をオフにした後に、鍵板を設定変更キーとしてのシリンダー錠内に差し込んでオン側に回し、これにより遊技機を設定変更用のモードにする。
【０００５】
次に、電源をオンにして、設定変更用のボタンを押して所望する設定に変更し、その後、設定変更キーをオフに戻して設定変更用のモードを解除する。そうすると、この操作により大当たりの確率を所望する確率に変更することが可能となる。
【０００６】
そのため、設定変更キーの操作は設定を変更するための重要なキーであり、不特定多数人による操作を防止する必要があり、そのために、これを操作するための鍵板は通常、店舗の経営者等、経営に携わっている者のみが所持するのが一般的である。
【０００７】
しかしながら、市場に出回る遊技機は膨大な数にのぼるため、コスト等の問題もあり、一般的に設定変更キーは、同一機種、あるいは同一メーカーの製品では同一のものが用いられている。
【０００８】
その一方、遊技機は専門店等において個人でも購入することができ、その販売に際しては当然設定変更キー用の鍵板も付属で付いているため、あるいは、鍵板の紛失等に対処するために設定変更キー用の鍵板のみの販売も行われているため、店舗の経営者等以外でも設定変更キー用の鍵板を購入することが可能である。
【０００９】
そのため、例えば、不正操作を行おうとする者やアルバイト等が、営業中等において、上記のようにして購入した正規の鍵板を用いて、不正に設定変更キーを操作して設定を変更してしまう犯罪が少なく無いのが現状である。
【００１０】
しかしながら、過去においては、不正な方法により遊技機の正面扉を開けることを防止する装置等は各種が提供されていたが、正規のキーを用いて行う設定変更キーの不正操作を防止する方法は提案されていなかった。
【考案の開示】
【考案が解決しようとする課題】
【００１１】
そこで、本考案は、正規な鍵板を用いた設定変更キーの不正操作を防止することを可能にした遊技機の設定変更キー用不正操作防止具を提供することを課題としている。
【課題を解決するための手段】
【００１２】
本考案の遊技機の設定変更キー用不正操作防止具は、遊技機における設定変更キーの不正操作を防止するための遊技機の設定変更キー用不正操作防止具であって、
前記設定変更キーの露出面を覆い隠すケースと、該ケース内に回動自在に係止された、厚み方向に貫通した鍵孔を有するローターと、を具備した防止具本体と、
前記鍵孔内に挿入することで前記ローターを回動する鍵板と、で構成され、  前記鍵板は、鍵孔への挿入部分を、前記ローターにおける鍵孔の奥行き寸法分だけ前記設定変更キーの正規の鍵板よりも長く設定したことを特徴としている。
【考案の効果】
【００１３】
本考案の遊技機の設定変更キー用不正操作防止具では、ケースと、このケース内に回動自在に係止されたローターとを有するとともに、ローターには鍵孔を形成し、鍵板を鍵孔に挿入して回すことでローターを回動可能にしている。
【００１４】
そのために、本考案の遊技機の設定変更キー用不正操作防止具で、例えば電源ボックスに装着された設定変更キーの露出面を覆い隠した場合において、設定変更キーを回動して設定変更を可能にするためには、設定変更キーとしてのシリンダー錠における鍵孔の深さと本考案のローターに形成した鍵孔の深さとを合わせた長さの鍵板を用いる必要があり、設定変更キーの正規の鍵板を用いた場合でも、設定変更キーとしてのシリンダー錠のすべてのタンブラを移動させることはできず、即ち、設定変更キーを回動することはできない。
【００１５】
従って、本考案の遊技機の設定変更キー用不正操作防止具を用いることによって、シリンダー錠の正規な鍵板を用いた設定変更キーの不正操作を防止することが可能である。
【考案を実施するための最良の形態】
【００１６】
本考案の遊技機の設定変更キー用不正操作防止具では、遊技機における設定変更キーの露出面を覆い隠すケースを有しており、このケース内には、ローターが回動自在に係止され、ケースとローターとで防止具本体が構成されている。そして、ローターには、シリンダー錠における鍵孔の間口寸法とほぼ同様の間口寸法にするとともに貫通孔とした鍵孔が形成されており、鍵孔に鍵板を差し込んで回動することでケースに対してローターを回動可能にしている。
【００１７】
また、本考案においては前記鍵孔に挿入可能な鍵板を備えており、この鍵板における鍵孔に挿入される部分の長さ寸法は、ローターにおける鍵孔の奥行き寸法分だけ、前記設定変更キーおける正規の鍵板よりも長く設定しており、これにより、この鍵板を防止具本体における鍵孔に差し込むことで、設定変更キーとしてのシリンダー錠のすべてのタンブラを移動させて設定変更キーを回動することを可能にしている。
【００１８】
ここで、前記ローターにおける外周側に挿入孔を形成し、該挿入孔内にスプリングを介して球体を挿装するとともに、前記ケースの内周側に前記球体が嵌り込む凹部を形成するとよく、これにより、鍵板を所定角度回動した際の節度感を得ることが可能である。
【実施例１】
【００１９】
本考案の遊技機の設定変更キー用不正操作防止具の実施例（以下単に「不正操作防止具」という。）の実施例について図面を参照して説明すると、図１は、本実施例の不正操作防止具の斜視図であり、また、図２は本実施例の不正操作防止具の縦断側面構造を拡大して示した図である。
【００２０】
そして、本実施例の不正操作防止具１は、ケース３と、このケース内に回動自在に係止されたローター５とで構成される防止具本体２を具備するとともに、前記ローター５を回動するための鍵板７（図１１参照）を有している。
【００２１】
ここで、前記ケース２について説明すると、図３は前記ケース２の正面図であり、また、図４は図３におけるＡ−Ａ線断面構造の拡大図、図５は図３におけるＢ−Ｂ線断面構造の拡大図であり、本実施例において前記ケース２は、背面部３０１と、この背面部３０１と同一径の側面部３０２と、前記背面部３０１よりも小径の正面部３０４と、前記側面部３０２と前記正面部３０４をテーパー状に連通したテーパー部３０３とを有し、全体として、略円柱形状としている。そして、前記背面部３０１を、例えば両面テープ等によって、設定変更キーの露出面を覆い隠す形態で電源ボックス等に接着することで、電源ボックスに取り付けられる。
【００２２】
また、本実施例における前記ケース３では、ケース３を貫通したローター挿入孔４が形成されており、このローター挿入孔４内にローター５が挿装される。
【００２３】
ここで、前記ローター挿入孔４について説明すると、ローター挿入孔４内には、内周側に突出させた段差部４０２が全周に亘り形成されている。また、前記ローター挿入孔４における背面部３０１側の開口４０３は、正面部３０４側の開口４０１よりも大径とされている。更に、前記段差部４０２の内周側の４カ所には、係止凹部４０４が形成されており、本実施例においてこの係止凹部４０４のそれぞれは、互いに約９０度角度で形成されている。
【００２４】
次に、前記ローター５について説明すると、図６はローター５の正面図、図７はローター６の背面図、図８は図６におけるＣ−Ｃ線断面構造の拡大図、図９は図６におけるＤ−Ｄ線断面構造の拡大図であり、本実施例において前記ローター５は、略円柱形状に形成されるとともに、ローター５を貫通した鍵孔６が形成され、前記ケース３におけるローター挿入孔４内に挿装係止されている。
【００２５】
即ち、ローター５は、ケース３のローター挿入孔４における正面側開口４０１内に嵌り込むとともに段差部４０２上に載置される縁部５０１と、この縁部５０１に連設した胴部５０２を有しており、胴部５０２は、前記段差部４０２の内周側に挿装可能な寸法とされている。
【００２６】
また、ローター５の厚さ寸法は前記ケース３の厚さ寸法とほぼ同等としているとともに、ローター挿入孔４内に挿装した際にローター挿入孔４の背面側開口４０３に突出する部分には、全周に亘り溝部５０３が形成されている。
【００２７】
そして、縁部５０１がローター挿入孔４における正面側開口４０１内に嵌り込むとともに段差部４０２上に載置されるようにしてローター５をローター挿入孔４内に挿装し、更に前記溝部５０３内にＣリング８を嵌め込むことで、ローター５をケース３に回動自在に係止している。
【００２８】
更に、前記胴部５０２には内周方向に向けて挿入孔５０４を形成しており、この挿入孔５０４内には、スプリング９を介して球体１０を挿装している。そしてこれにより、ローター５を回転したときに、球体１０がケース３に形成した係止凹部４０４に入り込んだ際に節度感が出るようにしている。従って本実施例では、ローター５を９０度回転するたびに節度感が出ることになる。
【００２９】
なお、図６において５０５は、ローター５における鍵孔６を設定変更キーにおける鍵孔に完全に連通させるための目印であり、例えば、この目印５０５が上に来たときにローター５における鍵孔６と設定変更キーにおける鍵孔が完全に連通するようにしておくと、特に急いでいるときなどは容易に設定変更キーの操作を行うことが可能となる。但し、この目印５０５は必ずしも必要なものではなく、また目印を用いる場合でもその形状等は特に限定されない。
【００３０】
次に、このように構成される本実施例の不正操作防止具１の作用について説明すると、図１１は本実施例の不正操作防止具１を電源ボックスに取り付けた状態の断面構造を示しており、図において１１が電源ボックスである。
【００３１】
また、図において１２は、電源ボックス１１内に挿装されている設定変更キーであり、この設定変更キー１２としてはシリンダー錠が用いられている。そしてこのシリンダー錠１２は周知のように、錠ケース１３と、この錠ケース１３内に回動自在に挿装されたローター１４と、このローター１４にローター１４の軸方向に対して直角の方向に挿抜自在に挿装されたタンブラ１５とから構成されている。そして、ローター１４の軸方向に形成された鍵孔１６に鍵板を挿入しない状態では、タンブラ１５が錠ケース１３の内面側に突出してローターを錠ケース１３に対して回転不能に拘束し、一方、前記ローターの前記鍵孔１６に前記鍵板を挿入したときには、前記タンブラが前記錠ケース１３の内面から退避して前記ローター１４の拘束を解除し、これにより、ローター１４を回動して行う設定変更操作が可能となる。
【００３２】
そして、本実施例の不正操作防止具１を使用するときは、前記設定変更キー１２における電源ボックス１１側の露出面を覆い隠すようにして、なおかつ、ローター５に形成した鍵孔６が設定変更キー１２の鍵孔１６と完全に連通可能にして、不正操作防止具１を電源ボックス１１に取り付ける。
【００３３】
そうすると、設定変更キー１２の正規の鍵板を本実施例の不正操作防止具１の鍵孔６に差し込んだ場合には、鍵板はまず本実施例の不正操作防止具１における鍵孔６を貫通した後に設定変更キー１２の鍵孔１６に挿入されるため、本実施例の不正操作防止具１における鍵孔６の奥行き寸法分だけ、設定変更キー１２の鍵孔１６に挿入される部分が短くなり、即ち、設定変更キーの鍵孔に完全に鍵板を入れることができず、それにより、タンブラ１５を錠ケース１３の内面から退避させることができず、鍵板を回動して設定変更キーを操作することができない。
【００３４】
従って、本実施例における前記鍵板７では、設定変更キー１２の鍵孔１６に挿入される部分を、設定変更キー１２の正規の鍵板に対して、ローター５における鍵孔６の奥行き寸法分だけ長い寸法にして形成している。即ち、図１１においてＬ１で示した寸法が設定変更キー１２の鍵孔１６の奥行き寸法であり、正規の鍵板では、鍵孔１６に挿入する部分の寸法をこのＬ１の寸法にしているが、本実施例における鍵板７では、このＬ１の寸法に対して、更に、ローター５における鍵孔６の奥行き寸法Ｌ２を延長させた寸法を、鍵孔１６に挿入する部分の寸法としている。
【００３５】
そのため、本実施例における鍵板７では、確実に設定変更キー１２の鍵孔１６に差し込んでタンブラ１５を錠ケース１３の内面から退避させることができる。
【００３６】
このように、本実施例の不正操作防止具１を用いることにより、設定変更キーの正規の鍵板を用いた場合でも鍵板を回動することができないため、正規の鍵板を用いた不正操作を有効に防止することが可能である。
【００３７】
また、ローター５を例えば９０度回転させて設定変更キーにおける鍵孔１６とローター５の鍵孔７とを不完全な連通状態にすることで、設定変更キーの鍵孔１６に鍵板を挿入することを不可能にし、これによっても不正操作を防止することが可能である。
【００３８】
なお、前述の実施例では、ローター５に形成した鍵孔６はローター５の略中央部分としたが、この鍵孔の位置は電源ボックスに取り付けられている設定変更キーにおける鍵孔の位置に対応させたものであればよい。従って、例えば図１０に示すように、設定変更キーにおける鍵孔の位置に併せて、ローター５の中央部分から外れた位置に鍵孔６を形成してもよい。
【００３９】
また、前述の説明では、係止凹部４０４を前記段差部４０２の内周側の４カ所に形成した場合を説明したが、この凹部４０４は必ずしも４カ所に形成する必要はなく、また、この凹部４０４を備えない形態としてもよい。
【００４０】
更に、前述の説明では、ケース２の形状として、全体として略円柱形状とした場合を説明したが、ケース２の形状は特に限定されず、その内部にローター５が回動自在に係止されていればいずれの形状としてもよく、従って、その内部にローター５が回動自在に係止されていれば、星型、花びら型等、様々な外形状にしてよい。
【産業上の利用可能性】
【００４１】
本考案の遊技機の設定変更キー用不正操作防止具は、設定変更キーの露出面を覆い隠すことで、正規の鍵板を使用不可能にしているために、遊技機における設定変更キーとして用いられているシリンダー錠に限らず、シリンダー錠の全般に適用可能である。
【図面の簡単な説明】
【００４２】
【図１】本考案の遊技機の設定変更キー用不正操作防止具の実施例の斜視図である。
【図２】本考案の遊技機の設定変更キー用不正操作防止具の実施例の縦断側面構造を示す図である。
【図３】本考案の遊技機の設定変更キー用不正操作防止具の実施例におけるケースの正面図である。
【図４】図３におけるＡ−Ａ線断面構造の拡大図である。
【図５】図３におけるＢ−Ｂ線断面構造を拡大図である。
【図６】本考案の遊技機の設定変更キー用不正操作防止具の実施例におけるローターの正面図である。
【図７】本考案の遊技機の設定変更キー用不正操作防止具の実施例におけるローターの背面図である。
【図８】図６におけるＣ−Ｃ線断面構造の拡大図である。
【図９】図６におけるＤ−Ｄ線断面構造の拡大図である。
【図１０】本考案の遊技機の設定変更キー用不正操作防止具における鍵孔の他の形態を説明するための図である。
【図１１】本考案の遊技機の設定変更キー用不正操作防止具の実施例の作用を説明するための図である。
【符号の説明】
【００４３】
１    不正操作防止具
２    防止具本体
３    ケース
３０１    背面部
３０２    側面部
３０３    テーパー部
３０４    正面部
４    ローター挿入孔
４０１    正面側開口
４０２    段差部
４０３    背面側開口
４０４    係止凹部
５    ローター
５０１    縁部
５０２    胴部
５０３    溝部
５０４    挿入孔
５０５    目印
６    鍵孔
７    鍵板
８    Ｃリング
１１    電源ボックス
１２    設定変更キー（シリンダー錠）
１３    ケース
１４    ローター
１５    タンブラ
１６    鍵孔
【図１】
0003125856.tif 000003
【図２】
0003125856.tif 000004
【図３】
0003125856.tif 000005
【図４】
0003125856.tif 000006
【図５】
0003125856.tif 000007
【図６】
0003125856.tif 000008
【図７】
0003125856.tif 000009
【図８】
0003125856.tif 000010
【図９】
0003125856.tif 000011
【図１０】
0003125856.tif 000012
【図１１】
0003125856.tif 000013